(57)【要約】【課題】透光板に対して浅い入射角を有して入射される赤外線の光が該透光板よって反射されることによる誤検出を抑制できる赤外線遮断式のタッチパネル装置を提供する。【解決手段】画像を表示する表示画面１０１と、表示画面１０１に沿って赤外光を走査する発光素子９１１の列と、発光素子９１１の列に対応する受光素子の列と、発光素子９１１の列又は受光素子の列を覆う短冊形の透光板８１とを備え、表示画面１０１上の遮光物の位置を検出するタッチパネル装置において、透光板８１が、その幅方向における発光素子９１１の発光部９１３の位置と整合する範囲に透光部８１２を設けることにより、透光部８１２の範囲を必要最小限にして、透光板８１全体の幅を狭める。【選択図】図８
2014085824.tif 000002
【特許請求の範囲】
【請求項１】
画像を表示する表示画面と、該表示画面に沿って赤外光を走査する発光素子の列と、該発光素子の列に対応する受光素子の列と、前記発光素子の列又は受光素子の列を覆う短冊形の透光板とを備え、前記表示画面上の遮光物の位置を検出するタッチパネル装置において、
前記透光板は、その幅方向における前記発光素子の発光部の位置と整合する範囲に透光部を有していることを特徴とするタッチパネル装置。
【請求項２】
前記透光板は、
前記表示画面側の一縁部に、入射赤外光を発光元に反射する膜状の再帰反射部を設けていることを特徴とする請求項１に記載のタッチパネル装置。
【請求項３】
前記透光板は、
前記表示画面側の一縁部に、入射赤外光を吸収する膜状の光吸収部を設けていることを特徴とする請求項１に記載のタッチパネル装置。
【請求項４】
前記透光板は、
前記一縁部に対向する他縁部に、前記再帰反射部を設けていることを特徴とする請求項２に記載のタッチパネル装置。
【請求項５】
前記透光板は、
前記一縁部に対向する他縁部に、前記光吸収部を設けていることを特徴とする請求項３に記載のタッチパネル装置。
【請求項６】
前記透光板は、
入射赤外光を発光元に反射させる再帰反射膜層に入射赤外光を吸収する光吸収膜層が積層された、膜状の光反射吸収部を、前記表示画面側の一縁部に設けていることを特徴とする請求項１に記載のタッチパネル装置。
【請求項７】
前記透光板は、前記一縁部に対向する他縁部に、前記光反射吸収部を設けていることを特徴とする請求項６に記載のタッチパネル装置。
【発明の詳細な説明】
【技術分野】
【０００１】
本発明は、画像を表示する表示画面と、該表示画面に沿って赤外線の光を走査する発光素子の列と、該発光素子の列に対応する受光素子の列と、前記発光素子の列又は受光素子の列を覆う透光板とを備え、前記表示画面上の遮光物の位置を検出するタッチパネル装置に関する。
【背景技術】
【０００２】
近年、表示画面上に書き込まれた情報に係る座標を検知して、該表示画面上に表示されている画像に対して上書きすることにより、重ねて表示し、あるいは、書き込まれた情報をコンピュータにリアルタイムで取り込むことが出来る電子ホワイトボードが普及している。
【０００３】
電子ホワイトボードで使用される座標入力、座標検知方法としては、種々の方式が提案されているが、その一つとして赤外線を用いた赤外線遮断式がある。図１３は赤外線遮断式の電子ホワイトボードにおける、座標検知及び座標入力を説明する説明図である。
【０００４】
斯かる赤外線遮断式の電子ホワイトボード２００においては、表示部２０１の縦方向の１辺（図示せず）と横方向の１辺とに赤外線の光を発光する多数のＬＥＤ１，２，３…を各々１列に等間隔で配列し、該ＬＥＤの列と対向する辺に受光素子１，２，３…（フォトトランジスタ）を該ＬＥＤの列と同間隔で１列に配列し、対向するＬＥＤ・受光素子対を順次走査して、Ｘ方向（横）とＹ方向（縦）について赤外線の光の遮断物の有無を検出し、該遮断物の位置を入力位置として認識するものである。
【０００５】
例えば、ＬＥＤ３から発光される赤外線の光が遮光物Ｓによって遮光された場合、受光素子１，２，３…における受光量が低減する。このような受光素子１，２，３…での受光量の変化に基づき、遮光物Ｓの有無及び位置（座標）が検出できる。本例では、１つのＬＥＤの発光に対し、複数の受光素子にて受光量の変化を検出する方式としている。
【０００６】
一方、特許文献１では、遮光物有りと検知された場合、遮光を検知した受光素子に対する発光量を増加させる、又は当該受光素子の感度を上げて走査を繰り返し、遮光物有りとの判定が続く場合は、誤検知でないと判断し、途中で遮光物無しとの判定が行われた場合は、水滴等が付着していると判断することにより、水滴の付着による誤検知の問題を解決できる赤外線遮断式タッチパネル装置が開示されてある。
【先行技術文献】
【特許文献】
【０００７】
【特許文献１】特開２００５−３３９３４２号公報
【発明の概要】
【発明が解決しようとする課題】
【０００８】
上述した赤外線遮断式の電子ホワイトボードにおいては、ＬＥＤ及び受光素子が配置されているベゼル部と、表示画面との境界に、前記ＬＥＤからの赤外線の光を透過させる透過フィルタを設けている。これによって、ＬＥＤ又は受光素子において外部からの不要な入射光を遮断すると共に、実装基板を保護することが出来る。
【０００９】
しかし、前記透過フィルタに、何れかのＬＥＤからの赤外線の光が浅い角度で入射すると、前記透過フィルタによって入射光が反射され、斯かる光の反射・回折光によって誤検知が生じることがある。以下においては、このような誤検知を招く反射・回折光のことを迷光という。
【００１０】
例えば、図１３に示すように、ＬＥＤ１及びＬＥＤ２が発光する赤外線の光が所定の幅を持って広がり、一部の光が浅い入射角（内角）をなして、縦方向に配設された透過フィルタ２０２に入射した場合、斯かる反射光は透過フィルタ２０２によって反射され、受光素子１及び受光素子２に向かって進行する。従って、受光素子１及び受光素子２おいては前記反射光が受光されて受光量が変わるので、遮光物Ｓの検出に影響を及ぼす。
【００１１】
しかしながら、特許文献１に係る電子ホワイトボードでは、このような問題を解決出来ない。
【００１２】
本発明は、斯かる事情に鑑みてなされたものであり、その目的とするところは、画像を表示する表示画面と、該表示画面に沿って赤外光を走査する発光素子の列と、該発光素子の列に対応する受光素子の列と、前記発光素子の列又は受光素子の列を覆う短冊形の透光板とを備え、前記表示画面上の遮光物の位置を検出するタッチパネル装置において、前記透光板が、その幅方向における前記発光素子の発光部の位置と整合する範囲に透光部を設けることにより、該透光部の範囲を必要最小限にして、前記透光板の幅を狭め、上述したように、浅い入射角を有して入射される赤外線の光の透光板よる反射を抑制できるタッチパネル装置を提供することにある。
【課題を解決するための手段】
【００１３】
本発明に係るタッチパネル装置は、画像を表示する表示画面と、該表示画面に沿って赤外光を走査する発光素子の列と、該発光素子の列に対応する受光素子の列と、前記発光素子の列又は受光素子の列を覆う短冊形の透光板とを備え、前記表示画面上の遮光物の位置を検出するタッチパネル装置において、前記透光板は、その幅方向における前記発光素子の発光部の位置と整合する範囲に透光部を有していることを特徴とする。
【００１４】
本発明にあっては、前記透光板の幅方向に沿う方向における前記発光素子の発光部の位置と整合する位置に該当する該透光板の幅方向の範囲に、前記発光素子が発した赤外光が出入射する透光部を制限し、前記透光板の幅を狭める。
【００１５】
本発明に係るタッチパネル装置は、前記透光板は、前記表示画面側の一縁部に、入射赤外光を発光元に反射する膜状の再帰反射部を設けていることを特徴とする。
【００１６】
本発明にあっては、前記再帰反射部が、前記透光板の前記表示画面側の一縁部に設けられており、該再帰反射部は該透光板と浅い入射角（内角）をなしながら入射する赤外光をその発光元に向かって反射させる。
【００１７】
本発明に係るタッチパネル装置は、前記透光板は、前記表示画面側の一縁部に、入射赤外光を吸収する膜状の光吸収部を設けていることを特徴とする。
【００１８】
本発明にあっては、前記光吸収部が、前記透光板の前記表示画面側の一縁部に設けられており、該光吸収部は該透光板と浅い入射角をなしながら入射する赤外光を吸収する。
【００１９】
本発明に係るタッチパネル装置は、前記透光板は、前記一縁部に対向する他縁部に、前記再帰反射部を設けていることを特徴とする。
【００２０】
本発明にあっては、前記再帰反射部は、前記透光板の前記他縁部に設けられており、該再帰反射部は該透光板と浅い入射角をなしながら入射する赤外光をその発光元に向かって反射させる。
【００２１】
本発明に係るタッチパネル装置は、前記透光板は、前記一縁部に対向する他縁部に、前記光吸収部を設けていることを特徴とする。
【００２２】
本発明にあっては、前記光吸収部が、前記透光板の前記他縁部に設けられており、該光吸収部は該透光板と浅い入射角をなしながら入射する赤外光を吸収する。
【００２３】
本発明に係るタッチパネル装置は、前記透光板は、入射赤外光を発光元に反射させる再帰反射膜層に入射赤外光を吸収する光吸収膜層が積層された、膜状の光反射吸収部を、前記表示画面側の一縁部に設けていることを特徴とする。
【００２４】
本発明にあっては、前記光反射吸収部が、前記透光板の前記表示画面側の一縁部に設けられており、該光反射吸収部は該透光板と浅い入射角をなしながら入射する赤外光をその発光元に反射させ、また吸収する。
【００２５】
本発明に係るタッチパネル装置は、前記透光板は、前記一縁部に対向する他縁部に、前記光反射吸収部を設けていることを特徴とする。
【００２６】
本発明にあっては、前記光反射吸収部が、前記透光板の前記他縁部に設けられており、該光反射吸収部は該透光板と浅い入射角をなしながら入射する赤外光をその発光元に反射させ、また吸収する。
【発明の効果】
【００２７】
本発明によれば、発光素子による赤外光の発光に必要な最小限の範囲にて、前記透光部を設けることにより、前記透光板全体の幅を出来るだけ狭め、上述したように、浅い入射角を有して入射される赤外光が透光板よって反射されることによる誤検出の発生を抑制できる。
【図面の簡単な説明】
【００２８】
【図１】本発明の実施の形態１の電子ホワイトボードを概念的に表示した概念図である。
【図２】本発明の実施の形態１の電子ホワイトボードの要部構成を示す機能ブロック図である。
【図３】本発明の実施の形態１の電子ホワイトボードのタッチパネル部における、制御部の要部構成を示す機能ブロック図である。
【図４】本発明の実施の形態１の電子ホワイトボードにおける、光の走査の処理を説明する機能ブロック図である。
【図５】本発明の実施の形態１の電子ホワイトボードにおける、走査及び遮光物の検出を説明する説明図である。
【図６】本発明の実施の形態１に係る電子ホワイトボードにおける、表示部の隅部を示す部分的正面図である。
【図７】図６のＡ−Ｂ線による断面図である。
【図８】本発明の実施の形態１に係る電子ホワイトボードにおける、透光板と発光素子との関係を説明する説明図である。
【図９】図７中の矢印方向から透光板を見た場合の、透光板の構成を説明する説明図である。
【図１０】本発明の実施の形態２に係る電子ホワイトボードにおける、透光板の構成を説明する説明図である。
【図１１】本発明の実施の形態３に係る電子ホワイトボードにおいて、発光素子及び基板の構成を示す部分的横断面図である。
【図１２】本発明の実施の形態４に係る電子ホワイトボードにおいて、透光板及び枠体の構成を示す部分的横断面図である。
【図１３】赤外線遮断式の電子ホワイトボードにおける、座標検知及び座標入力を説明する説明図である。
【発明を実施するための形態】
【００２９】
以下、本発明に係るタッチパネル装置を、いわゆる電子ホワイトボードに適用した場合を例に挙げて、図面に基づいて詳述する。
【００３０】
（実施の形態１）
図１は本発明の実施の形態１の電子ホワイトボード１００を概念的に表示した概念図であり、図２は本発明の実施の形態１の電子ホワイトボード１００の要部構成を示す機能ブロック図である。
【００３１】
本発明の実施の形態１の電子ホワイトボード１００は、表示部１００Ａとタッチパネル部１００Ｂとを有しており、タッチパネル部１００Ｂは、赤外線を発光する発光素子及び赤外線を受光する受光素子を備え、遮光物の位置を検出する、いわゆる赤外線遮断式タッチパネルとなっている。電子ホワイトボード１００においては、例えば、表示部１００ＡはＨＤＭＩを介して、タッチパネル部１００ＢはＵＳＢを介してパーソナルコンピュータ（以下、ＰＣと言う。）と接続されている。本実施例では、表示部１００Ａとタッチパネル部１００Ｂとは映像表示と座標指示との機能別に、各々独立した形で構成しているが、表示と座標指示との同期を図る等の目的で、統合的に構成・制御しても良い。また、映像表示、座標指示のＩ／Ｆは、ＨＤＭＩ、ＵＳＢに限らず、他の方式を用いても良い。
【００３２】
表示部１００Ａは、例えばＬＣＤ又はＥＬ（Electroluminescence）パネル等からなり、ＰＣからの映像出力および、タッチパネル部１００ＢとＰＣを介して利用者から受け付ける文字、線画等が表示される。また、表示部１００Ａの表示画面を囲むようにタッチパネル部１００Ｂが設けられている。
【００３３】
タッチパネル部１００Ｂは制御部１と、ＲＯＭ２と、ＲＡＭ３、Ｉ／Ｆ部５、走査部９とを備えており、Ｉ／Ｆ部５を介して前記ＰＣとの座標データの送受信を行う。
【００３４】
タッチパネル部１００Ｂの制御部１は、走査部９による走査結果に係る座標に基づき、文字、線画等の筆記・描画をＰＣを介して受け付けることで、表示部１００Ａに文字、線画等を表示させる。
【００３５】
ＲＯＭ２には制御プログラムが予め格納されており、ＲＡＭ３はデータを一時的に記憶し、記憶順、記憶位置等に関係なく読み出すことが可能である。また、ＲＡＭ３は、例えば、ＲＯＭ２から読み出されたプログラム、該プログラムを実行することにより発生する各種データ等を記憶する。
【００３６】
制御部１は、ＲＯＭ２に予め格納されている制御プログラムをＲＡＭ３上にロードして実行することによって、バスを介して上述した各種ハードウェアの制御を行い、タッチパネル部１００Ｂを機能させる。
【００３７】
図３は本発明の実施の形態１の電子ホワイトボード１００のタッチパネル部１００Ｂにおける、制御部１の要部構成を示す機能ブロック図である。制御部１は、ＣＰＵ１１と、座標算出部１２と、遮光物管理部１３と、検出部１４とを備えている。
【００３８】
座標算出部１２は、ペン形入力器又は指等の遮光物の表示部１００Ａの表示画面上の座標を算出する。詳しくは、タッチパネル部１００Ｂによって、表示部１００Ａの表示画面上の光遮断が検出された場合に送られる、後述する強度信号に基づき、斯かる遮光物の座標を算出する。
【００３９】
遮光物管理部１３は、走査部９の走査によって検出される遮光物の位置（座標）を管理する。例えば、遮光物管理部１３は、斯かる遮光物が移動する場合、遮光物の移動を表す座標履歴を記憶する。
【００４０】
検出部１４は、表示部１００Ａの表示画面上における、１又は複数の遮光物の位置を検出する。詳しくは、タッチパネル部１００Ｂの走査部９が表示部１００Ａの表示画面上の全領域に対して光の走査を行い、タッチパネル部１００Ｂから取得される該広域走査の結果に係る強度信号に基づき、検出部１４は表示部１００Ａの表示画面上の遮光物の座標を検出する。
【００４１】
また、ＣＰＵ１１は、走査部９の発光素子及び受光素子の制御を行なう。
【００４２】
タッチパネル部１００Ｂは、上記したように、赤外線遮断式タッチパネルである。すなわち、図示しないペン形入力装置又は指等の先端が表示部１００Ａの表示画面の直近に近づいたことにより光遮断が検出されることによって、斯かる遮光物（ペン形入力装置又は指等）の位置を検出する。すなわち、走査結果、受光素子から得られる信号（強度信号）が制御部１に送出され、これに基づき、座標算出部１２は斯かる遮光物の座標を算出する。このようにして、タッチパネル部１００Ｂは、利用者から表示部１００Ａ上の位置指定、文字、線画等の入力を受け付ける。
【００４３】
タッチパネル部１００Ｂは、表示部１００Ａの表示画面に沿って赤外線の光（以下、赤外光と言う。）を走査する走査部９を備えており、走査部９は、赤外光を照射する複数の発光素子を有する発光部９１と、対応する発光素子からの赤外光を受光する複数の受光素子を有する受光部９２と、制御部１（ＣＰＵ１１）からの発光信号及び受光信号を夫々の発光部９１及び受光部９２に割り当てるアドレスデコーダ９３と、光遮断の検出に用いられる受光部９２からのアナログ信号をデジタル信号に変換するＡ／Ｄコンバータ９４とを備えている。
【００４４】
図４は本発明の実施の形態１の電子ホワイトボード１００における、光の走査の処理を説明する機能ブロック図である。
【００４５】
発光部９１は、図示しないマルチプレクサを有しており、発光素子の夫々は該マルチプレクサに接続されている。また、受光部９２も、図示しないマルチプレクサを有しており、受光素子の夫々は該マルチプレクサに接続されている。更に、発光部９１の各発光素子は、受光部９２の何れか一つ受光素子と対応（対向）するように構成されている。
【００４６】
制御部１のＣＰＵ１１は、複数の発光素子を発光させるための発光信号をアドレスデコーダ９３Ａへ出力すると共に、複数の受光素子を受光させるための受光信号をアドレスデコーダ９３Ｂへ出力する。アドレスデコーダ９３Ａは、ＣＰＵ１１からの信号に応じて、発光素子の内、発光に係る何れかの発光素子を特定する信号を発光部９１に出力し、またアドレスデコーダ９３Ｂは、ＣＰＵ１１からの信号に応じて、受光素子の内で、前記特定された発光素子に対応する受光素子を特定する信号を受光部９２に出力する。
【００４７】
このように特定された発光素子は赤外光を発光し、対応する受光素子は赤外光を受光する。この際、該受光素子によって受光した赤外光の強度を電圧値で示す強度信号がＡ／Ｄコンバータ９４に出力される。Ａ／Ｄコンバータ９４は前記強度信号を例えば、８ビットのデジタル信号に変換し、変換後の強度信号を制御部１に出力する。制御部１は、全ての受光素子からの強度信号を取得するために、各受光素子から強度信号を取得する処理を順次繰り返す。
【００４８】
制御部１のＣＰＵ１１は、各受光素子から取得した強度信号に基づき、該受光素子での受光量を計算する。ＣＰＵ１１は、計算された受光量が予め定められている閾値を超過している場合は、当該受光素子が受光する赤外光の光路は遮断されていないと判定する。また、計算された受光量が、予め定められている閾値以下である場合は、当該受光素子が受光する赤外光の光路が遮断されていると判定する。
【００４９】
このようなＣＰＵ１１の判定結果に基づき、座標算出部１２及び検出部１４は遮光物の位置を算出する。すなわち、座標算出部１２及び検出部１４は、赤外光の光路が遮断されている受光素子を特定し、特定された受光素子の位置に基づき、表示部１００Ａの表示画面上の遮光物の座標を算出する処理を行う。
【００５０】
以下に、前記走査及び遮光物の検出について詳しく説明する。図５は本発明の実施の形態１の電子ホワイトボード１００における、走査及び遮光物の検出を説明する説明図である。
【００５１】
表示部１００Ａの表示画面は矩形状であり、該表示画面の図面視右側及び下側には、表示部１００Ａの縁に沿って複数の発光素子９１１、９１１、…の列が並設されている。発光素子９１１は、例えば、赤外光を発光する発光ダイオード（ＬＥＤ）である。図中には、各発光素子９１１が発光する赤外光の光路を実線の矢印にて示している。
【００５２】
右側の複数の発光素子９１１、９１１、…は、夫々の発光素子９１１が発光する赤外光の光路が前記表示画面に沿って互いに平行をなすように設けられており、下側の発光素子９１１、９１１、…も同様に設けられている。
【００５３】
すなわち、図５における左右方向（ｘ軸方向）たる右側の発光素子９１１、９１１、…と、上下方向（ｙ軸方向）たる下側の複数の発光素子９１１、９１１、…とは、その光路が相互直交するように設けられている。
【００５４】
また、表示部１００Ａの表示画面上であって、発光素子９１１、９１１、…と対向する位置には、受光素子９２１、９２１、…が設けられている。
【００５５】
すなわち、表示部１００Ａの表示画面の左側及び上側には、縁に沿って複数の受光素子９２１、９２１、…の列が並設されている。受光素子９２１は、赤外光を受光する受光ダイオードである。発光素子９１１、９１１、…からの赤外光は、対向配置された受光素子９２１、９２１、…によって受光されるように構成されている。
【００５６】
発光素子の場合と同様に、上側の受光素子９２１、９２１、…と、左側の受光素子９２１、９２１、…とは、受光すべき赤外光の光路が相互直交するように設けられている。
【００５７】
走査部９は、表示部１００Ａの表示画面における、Ｘ軸方向の一端から他端まで、またＹ軸方向の一端から他端まで、１つずつ発光素子９１１を順次発光させていき、表示部１００Ａの表示画面の遮光物の位置、大きさ等が上述したように検出される。
【００５８】
図６は本発明の実施の形態１に係る電子ホワイトボード１００における、表示部１００Ａの隅部を示す部分的正面図であり、図７は図６のＡ−Ｂ線による断面図である。
【００５９】
電子ホワイトボード１００は、表示部１００Ａの表示画面１０１と、表示画面１０１の縁に沿って周設されたベゼル部８とを備えている。
【００６０】
ベゼル部８は、表示画面１０１の縁部を保持する空洞の枠体８２を有しており、枠体８２の内側には発光素子９１１、９１１、…が収納されている。ベゼル部８の表示画面１０１側の端部には、透光板８１が設けられている。
【００６１】
透光板８１は、上述したように、Ｘ軸方向及びＹ軸方向に並設された発光素子９１１、９１１、…及び受光素子９２１、９２１、…を覆うように設けられた、短冊状の板材である。透光板８１は、発光素子９１１、９１１、…が発する赤外光を透過させると共に、外部から枠体８２の内側の発光素子９１１、９１１、及び…受光素子９２１、９２１、…が見えないようにする目隠しの役割と、発光素子・受光素子を実装した基板を保護する役割を担っている。
【００６２】
透光板８１は、幅Ｌが、例えば、１６ｍｍであり、裏側の両長辺部が枠体８２の端部によって支えられた状態にて、該端部に、接着剤などによって粘着されている。また、透光板８１は、一方の長辺が表示画面１０１と略接するようにし、表示画面１０１と特定の傾斜角θを成すように設けられている。
【００６３】
前記特定の傾斜角θは、例えば、７０°〜４５°のように設計する。これによって、図１３にて示したように、発光素子９１１（又は受光素子９２１）の列を覆う透光板８１に浅い入射角度にて入射する赤外光を、表示画面１０１の正面方向に反射・回避させ、直接反射による誤検知を抑制することができる。
【００６４】
このように、透光板８１の傾斜角度θによって、迷光による座標誤検知を抑制することが可能となるが、一般的に、赤外線は距離に依存してビーム径が広がっていく拡散光であるため、発光素子のレンズおよび焦点距離、枠体８２の寸法に応じて、一定量の迷光が依然として残ることになる。このため、本発明に係る電子ホワイトボード１００においては、透光板自体の不要な反射を防止するために、以下のような機構を有している。
【００６５】
枠体８２の内側には、表示画面１０１と直交配置された基板９１２に、発光素子９１１、９１１、…が実装されており、発光素子９１１、９１１、…の発光部が発する赤外光は透光板８１を透過して、対向側の受光素子９２１、９２１、…を向けて進行する。
【００６６】
図８は本発明の実施の形態１に係る電子ホワイトボード１００における、透光板８１と発光素子９１１との関係を説明する説明図である。
【００６７】
透光板８１は、発光素子９１１、９１１、…からの赤外光を透過させる透光部８１２と、該透光板８１の端側から浅い入射角度にて入射される他の発光素子からの赤外光の反射を防止する上部反射防止部８１１及び下部反射防止部８１３とを備えている。ここで、上部反射防止部８１１の長辺の幅をＬ１、透光部８１２の幅をＬ２、下部反射防止部８１３の幅をＬ３とする。すなわち透光板の長辺の幅Ｌ＝Ｌ１＋Ｌ２＋Ｌ３となる。また、透光板８１は、後述するように、再帰反射膜部８１１Ａ、再帰反射膜部８１３Ａ、光吸収膜部８１１Ｂ、又は光吸収膜部８１３Ｂを有している。
【００６８】
図９は図７中の矢印方向から透光板８１を見た場合の、透光板８１の構成を説明する説明図である。
【００６９】
透光部８１２は、透光板８１の幅方向における、発光素子９１１の発光部９１３に整合する範囲に該当する。より詳しくは、透光部８１２の幅Ｌ２は、発光素子９１１の発光部９１３の外形寸法をＷとすれば、Ｌ２＝Ｗ／ｓｉｎθなる式で表すことができる。従って、透光部８１２は、発光部９１３の外形寸法Ｗに整合する範囲Ｌ２を、透光板８１の幅方向において有する。
【００７０】
また、透光板８１の一方の長辺側には、上部反射防止部８１１（他縁部）が設けられており、他方の長辺側には、下部反射防止部８１３（一縁部）設けられている。より詳しくは、透光部８１２を挟んで、表示画面１０１側には、下部反射防止部８１３が設けられており、反対側には、上部反射防止部８１１が設けられている。透光板８１の幅方向における、上部反射防止部８１１、透光部８１２及び下部反射防止部８１３の幅は、例えば、夫々６ｍｍ、６ｍｍ及び４ｍｍである。
【００７１】
上部反射防止部８１１は、再帰反射膜部８１１Ａ又は光吸収膜部８１１Ｂを有しており、下部反射防止部８１３は、再帰反射膜部８１３Ａ又は光吸収膜部８１３Ｂを有している。すなわち、上部反射防止部８１１及び下部反射防止部８１３が共に、再帰反射膜部又は光吸収膜部を有する構成であってもよく、上部反射防止部８１１及び下部反射防止部８１３が、各々再帰反射膜部又は光吸収膜部を有する構成であってもよい。再帰反射膜部８１１Ａ、８１３Ａは入射されて来る赤外光をその発光元の方向に反射させる。また、光吸収膜部８１１Ｂ、８１３Ｂは入射されて来る赤外光を吸収する。
【００７２】
再帰反射膜部８１１Ａ、８１３Ａは、例えば、マイクロプリズム型、ビーズ型等の再帰反射材により構成される。マイクロプリズム型は、例えば、入射された赤外光を発光元に反射する三面体キューブ層を有するものであり、ビーズ型は、反射膜層の表側にガラスビーズの層を設けたものであり、これらは公知の技術であるので、詳しい説明を省略する。
【００７３】
光吸収膜部８１１Ｂ、８１３Ｂは、例えば、アゾ系、アミニウム系、アンスラキノン系、シアニン系、ジイモニウム系、ジチオール金属錯体系、スクアリリウム系、ナフタロシアニン系、フタロシアニン系等の化合物を含む。
【００７４】
また、これに限らず、研磨等の表面ブラスト加工、つや消しコート剤塗布、ＡＲ（Ａｎｔｉ  Ｒｅｆｒｅｃｔｉｏｎ）フィルム、モスアイフィルムの貼付など、ＬＥＤから照射する赤外光の波長をより吸収・拡散する加工、色素・塗料の塗布、フィルム貼付等が望ましい。
【００７５】
再帰反射膜部８１１Ａ、８１３Ａ、光吸収膜部８１１Ｂ、８１３Ｂは、上部反射防止部８１１及び／又は下部反射防止部８１３の表側に成膜されている。
【００７６】
以上の構成によって、透光板８１の端側から浅い入射角度にて入射される他の発光素子からの赤外光を発光元に反射され、及び／又は吸収されるので、前記迷光に起因する遮光物の誤検出を防止することができる。
【００７７】
（実施の形態２）
本発明の実施の形態２に係る電子ホワイトボード１００は、実施の形態１に係る電子ホワイトボード１００と略等しい構成を有しているが、透光板８１の構成において相違する。
【００７８】
図１０は本発明の実施の形態２に係る電子ホワイトボード１００における、透光板８１の構成を説明する説明図である。
【００７９】
実施の形態２に係る電子ホワイトボード１００においては、上部反射防止部８１１及び／又は下部反射防止部８１３が、再帰反射膜部８１１Ａ、８１３Ａ及び光吸収膜部８１１Ｂ、８１３Ｂを共に有するように構成されている。
【００８０】
例えば、図１０Ａに示すように、上部反射防止部８１１及び下部反射防止部８１３には光反射吸収膜部８１１Ｃ、８１３Ｃが夫々設けられている。更に、光反射吸収膜部８１１Ｃ、８１３Ｃは、再帰反射膜部８１１Ａ、８１３Ａの表面に光吸収膜部８１１Ｂ、８１３Ｂが成膜された構成を有している（図１０Ｂ参照）。
【００８１】
このような構成によって、光反射吸収膜部８１１Ｃ、８１３Ｃが、当該透光板８１の端側から浅い入射角度にて透光板８１に入射される赤外光を発光元に反射させると共に、吸収するので、反射された赤外光に起因する遮光物の誤検出を防止することができる。
【００８２】
本実施の形態においては、上部反射防止部８１１及び下部反射防止部８１３が共に光反射吸収膜部を有する場合を例として説明したが、これに限るものでなく、例えば、これらの何れか一方のみが光反射吸収膜部を有し、他方は再帰反射膜部又は吸収膜部を有するように構成しても良い。
【００８３】
（実施の形態３）
本発明の実施の形態３に係る電子ホワイトボード１００は、実施の形態１に係る電子ホワイトボード１００と略等しい構成を有しているが、発光素子９１１、９１１、…及び基板９１２の構成において相違する。
【００８４】
図１１は本発明の実施の形態３に係る電子ホワイトボード１００において、発光素子９１１、９１１、…及び基板９１２の構成を示す部分的横断面図である。
【００８５】
基板９１２は、短冊状を有しており、その面方向と、表示画面１０１の面方向とが平行するように、枠体８２の内側に設けられている。
【００８６】
発光素子９１１は、透光板８１の幅方向において発光部９１３が透光部８１２と整合するように設けられており、基板９１２とリード線９１４、９１４によって接続されている。また、発光素子９１１は、発光部９１３から発せられ、透光部８１２を透過して進行する赤外光の光路が表示画面１０１の面に沿うように実装されている。
【００８７】
実施の形態１と同様の部分については、同一の符号を付して詳細な説明を省略する。
【００８８】
（実施の形態４）
本発明の実施の形態４に係る電子ホワイトボード１００は、実施の形態１に係る電子ホワイトボード１００と略等しい構成を有しているが、透光板８１及び枠体８２の構成において相違する。
【００８９】
図１２は本発明の実施の形態４に係る電子ホワイトボード１００において、透光板８１及び枠体８２の構成を示す部分的横断面図である。
【００９０】
実施の形態４に係る電子ホワイトボード１００において、枠体８２は、その端部に、透光板８１を保持する溝８３、８３が形成されている。すなわち、枠体８２の溝８３、８３によって、透光板８１の上部反射防止部８１１側長辺部及び下部反射防止部８１３側長辺部が夫々係止される。
【００９１】
溝８３、８３の内側は、透光板８１の両長辺部にならう形状を有しいており、透光板８１が、摺動可能に、係止されている。例えば、透光板８１の組み込みの際には、溝８３、８３の一方の開口端から透光板８１を溝８３、８３の内側に挿入して摺動させれば良い。
【００９２】
溝８３、８３の部分であって、透光板８１が係止された状態において、表示画面１０１の表側から視認される露出部には、上部反射防止部８１１又は下部反射防止部８１３と同様、再帰反射膜部又は光吸収膜部を設けている。
【００９３】
すなわち、溝８３、８３の露出部であって、上部反射防止部８１１側の露出部８３Ａと、下部反射防止部８１３側の露出部８３Ｂとは、その表側表面に、再帰反射膜部及び／又は光吸収膜部が形成されている。
【００９４】
このような構成によって、透光板８１の端側から浅い入射角度にて透光板８１に入射される赤外光がベゼル部８によって反射されることを防ぎ、これに起因する反射光により遮光物の誤検出が生じることを未然に防止できる。
【００９５】
実施の形態１と同様の部分については、同一の符号を付して詳細な説明を省略する。
【００９６】
以上の記載においては、発光素子９１１、９１１、…を覆う透光板８１を例にあげて説明したが、これに限るものでなく、受光素子９２１、９２１、…を覆う透光板８１においても、同様であることは言うまでもない。
【符号の説明】
【００９７】
８１  透光板
９１  発光部
９２  受光部
１００  電子ホワイトボード
１００Ａ  表示部
１００Ｂ  タッチパネル部
１０１  表示画面
８１１  上部反射防止部
８１２  透光部
８１３  下部反射防止部
８１１Ａ、８１３Ａ  再帰反射膜部
８１１Ｂ、８１３Ｂ  光吸収膜部
８１１Ｃ、８１３Ｃ  光反射吸収膜部
９１１  発光素子
９２１  受光素子
【図１】
2014085824.tif 000003
【図２】
2014085824.tif 000004
【図３】
2014085824.tif 000005
【図４】
2014085824.tif 000006
【図５】
2014085824.tif 000007
【図６】
2014085824.tif 000008
【図７】
2014085824.tif 000009
【図８】
2014085824.tif 000010
【図９】
2014085824.tif 000011
【図１０】
2014085824.tif 000012
【図１１】
2014085824.tif 000013
【図１２】
2014085824.tif 000014
【図１３】
2014085824.tif 000015